(57)【要約】      （修正有）【課題】灯具を灯具スタンドに位置決めし、灯具スタンドの調整を安定に行え得る昇降システムおよびそのアセンブリユニットを提供する。【解決手段】昇降システムＥ１は、第１のベース面ｂ０１および第２のベース面を備える基板Ｂと第１の参照位置と第１の所定位置ｈ３の間を移動可能なポジショナと第１の装置１および第２の装置２を備えるアセンブリユニットＭ１とを含む。基板Ｂの第２のベース面は、少なくとも１つの第１のセグメントおよび少なくとも１つの第２のセグメントを備える。第１の装置１は第１の本体１１を備え、第２の装置２は、第１の連結部２１１および第１の接触部２１２を有する第１の要素２１を備える。第１の要素２１の第１の連結部２１１は第１の装置１の第１の本体１１に枢結する。第１の要素２１の第１の接触部２１２は第１の連結部２１１から延伸し、基板Ｂの第１のベース面ｂ０１に分離可能に接触する。【選択図】図１
2008162802.tif 000002
【特許請求の範囲】
【請求項１】
第１のベース面と、少なくとも１つの第１のセグメントおよび少なくとも１つの第２のセグメントを有する第２のベース面とを備えた基板、
第１の参照位置と第１の所定位置の間で移動するポジショナ、ならびに、
第１の本体を備える第１の装置、および、該第１の本体に枢結する第１の連結部と、該第１の連結部から離れる方へ延伸すると共に前記第１のベース面に分離可能に接触する第１の接触部とを持つ第１の要素を有する第２の装置を備え、前記ポジショナに連結するアセンブリユニット、
を含み、
前記ポジショナが前記第１の参照位置から前記第１の所定位置に移動する場合、前記ポジショナは、前記第１のセグメントに沿って移動して、前記第１のセグメントと前記第２のセグメントの間に位置決めされ、かつ前記第１の要素の前記第１の接触部は前記第１のベース面に接触し、また、前記ポジショナが前記第１の所定位置から前記第１の参照位置へ向かって移動する場合、前記ポジショナは、前記第１のセグメントおよび前記第２のセグメントから離れるときに前記第２のセグメントと前記第１のセグメントに沿って順に移動し、かつ、前記第１の要素の前記第１の接触部は前記第１のベース面に接触する昇降システム。
【請求項２】
前記第１の要素には片持ち棒（cantilevered rod）が含まれる請求項１記載の昇降システム。
【請求項３】
前記第２の装置が、前記第１の装置の前記第１の本体に枢結する第２の連結部と、前記第１のベース面に分離可能に接触する第２の接触部とを有する第２の要素をさらに備える請求項１記載の昇降システム。
【請求項４】
前記第２の要素には片持ち棒（cantilevered rod）が含まれる請求項３記載の昇降システム。
【請求項５】
前記第２の要素は前記第１の要素とほぼ平行である請求項３記載の昇降システム。
【請求項６】
前記第２の要素が前記第１の要素に連結している請求項３記載の昇降システム。
【請求項７】
前記第２の装置が、前記第１の装置の前記第１の本体に枢結する第２の連結部と、前記第１のベース面に分離可能に接触する第２の接触部とを有する第２の要素、および、前記第１の要素と前記第２の要素の間に配置される第３の要素をさらに備える請求項１記載の昇降システム。
【請求項８】
前記第２の要素には片持ち棒（cantilevered rod）が含まれる請求項７記載の昇降システム。
【請求項９】
前記第２の要素が前記第１の要素とほぼ平行である請求項７記載の昇降システム。
【請求項１０】
前記第１の要素、前記第２の要素および前記第３の要素がダブルロッキング機構（double-rocker mechanism）を形成する請求項７記載の昇降システム。
【請求項１１】
前記アセンブリユニットが、前記第２の装置に連結して、前記第１の装置の前記第１の本体を第１の位置と第２の位置の間で移動させる第３の装置をさらに備える請求項１記載の昇降システム。
【請求項１２】
前記第３の装置が、前記第２の装置の前記第１の要素に接続されるケーブルを備える請求項１１記載の昇降システム。
【請求項１３】
前記第３の装置が、前記第２の装置の前記第１の要素に接続されるケーブルと、該ケーブルを駆動して前記第１の装置の前記第１の本体を前記第１の位置と前記第２の位置の間で移動させることのできるモーターと、を備える請求項１１記載の昇降システム。
【請求項１４】
前記アセンブリユニットが、互いに離間するように前記第１の装置に配置された複数の第２の装置をさらに備える請求項１記載の昇降システム。
【請求項１５】
前記第２の装置の数が３である請求項１４記載の昇降システム。
【請求項１６】
前記第２のベース面が、前記第１のセグメントと前記第２のセグメントの間に配置される少なくとも１つの位置決めセグメントをさらに有する請求項１記載の昇降システム。
【請求項１７】
前記位置決めセグメントは、前記第１のセグメントと前記第２のセグメントの間に形成される凹溝である請求項１６記載の昇降システム。
【請求項１８】
前記第２のベース面が、前記第１のセグメントと前記第２のセグメントの間に配置される少なくとも１つの位置決めセグメントと、前記第１のセグメントと前記第２のセグメントの間に配置される少なくとも１つの第３のセグメントと、をさらに有する請求項１記載の昇降システム。
【請求項１９】
前記第２のベース面の前記位置決めセグメント、前記第１のセグメント、前記第２のセグメントおよび前記第３のセグメントが、閉ループ曲面（closed-loop curve surface）を形成する請求項１８記載の昇降システム。
【発明の詳細な説明】
【技術分野】
【０００１】
本発明は昇降システムに関し、より詳細には灯具を灯具スタンドに位置決めすると共に、灯具スタンドの調整を安定に行うことのできる昇降システムに関するものである。
【０００２】
しかしながら、例えば風力が強いまたは作業員が不慣れであるなどの条件が、昇降装置が上昇し所望の位置で固定するのを妨げる場合がある。これにより灯具スタンドは偏心、傾斜してしまったり、または不意に脱落したりする恐れもある。
【背景技術】
【０００３】
高所に灯具を備える照明は通常、省スペースに作られており、広範な照明を提供することが求められる。そのような灯具のスタンドはかなりの高度があるので、メンテナンスをするために、灯具のスタンドを所望の位置に上昇および下降させる昇降装置が必要とされる。
【０００４】
しかしながら、例えば風力が強いまたは作業員が不慣れであるなどの条件が、昇降装置が上昇し所望の位置で固定するのを妨げる場合がある。これにより灯具スタンドは偏心、傾斜してしまったり、または不意に脱落したりする恐れもある。
【発明の開示】
【発明が解決しようとする課題】
【０００５】
上述に鑑みて、本発明の目的は、灯具を灯具スタンドに位置決めすると共に、灯具スタンドの調整を安定に行える昇降システムおよびそのアセンブリユニットを提供することにある。
【課題を解決するための手段】
【０００６】
一実施形態による昇降システム（elevating system）は、基板、ポジショナおよびアセンブリユニットを含む。基板は、第１のベース面と、少なくとも１つの第１のセグメントおよび少なくとも１つの第２のセグメントを有する第２のベース面とを備える。ポジショナは第１の参照位置と第１の所定位置の間を移動する。ポジショナに連結されるアセンブリユニットは、第１の本体を有する第１の装置と第２の装置とを備える。第２の装置は、第１の連結部および第１の接触部を有する第１の要素を備える。第１の要素の第１の連結部は第１の本体に枢結し、第１の要素の第１の接触部は第１の連結部から離れており、かつ、第１のベース面に分離可能に接触する。
【０００７】
ポジショナが第１の参照位置から第１の所定位置へ移動する場合、ポジショナは第１のセグメントに沿って移動して、第１のセグメントと第２のセグメントの間に位置決めされ、かつ第１の要素の第１の接触部は第１のベース面に接触する。また、ポジショナが第１の所定位置から第１の参照位置へ向かって移動する場合、ポジショナは、第１のセグメントと第２のセグメントから離れるときに第２のセグメントと第１のセグメントに沿って順に移動し、かつ、第１の要素の第１の接触部は第１のベース面に接触する。
【０００８】
第２の装置は、第１の装置の第１の本体に枢結する第２の連結部、および第１のベース面に分離可能に接触する第２の接触部を有する第２の要素をさらに備える。第１および第２の要素は片持ち棒（cantileverd rod）とすることができる。第２の要素は第１の要素とほぼ平行になっている。第２の要素は第１の要素に連結している。
【０００９】
また、第２の装置は、第１の装置の第１の本体に枢結する第２の連結部、および第１のベース面に分離可能に接触する第２の接触部を有する第２の要素と、第１の要素と第２の要素の間に配置される第３の要素と、をさらに備える。第２の要素は片持ち棒（cantileverd rod）とすることができる。第２の要素は第１の要素とほぼ平行になっている。第１の要素、第２の要素および第３の要素はダブルロッキング機構（double-rocker mechanism）を形成する。
【００１０】
アセンブリユニットは、第２の装置に連結して、第１の装置の第１の本体を第１の位置と第２の位置の間で移動させる第３の装置をさらに備える。第３の装置は、第２の装置の第１の要素に接続されるケーブルを備える。
【００１１】
また、第３の装置は、第２の装置の第１の要素に接続されるケーブルと、該ケーブルを駆動して第１の装置の第１の本体を第１の位置と第２の位置の間で移動させることのできるモーターと、を備える。アセンブリユニットは、互いに離間するように第１の装置に配置される複数の第２の装置をさらに備える。該第２の装置の数は３とすることができる。
【００１２】
第２のベース面は、第１のセグメントと第２のセグメントの間に配置される少なくとも１つの位置決めセグメントをさらに有する。該位置決めセグメントは、第１のセグメントと第２のセグメントの間に形成される凹溝である。
【００１３】
また、第２のベース面は、第１のセグメントと第２のセグメントの間に配置される少なくとも１つの位置決めセグメントと、第１のセグメントと第２のセグメントの間に配置される少なくとも１つの第３のセグメントと、をさらに有する。第２のベース面の位置決めセグメント、第１のセグメント、第２のセグメントおよび第３のセグメントは、閉ループ曲面（closed-loop curve surface）を形成する。
【発明の効果】
【００１４】
本発明の昇降システムによれば、灯具を灯具スタンドに位置決めし、かつ、灯具スタンドの調整を安定に行うことができるようになる。
【発明を実施するための最良の形態】
【００１５】
添付の図面を参照にしながら、以下の実施形態により本発明を詳細に説明する。
【００１６】
以下の詳細な記載は本発明を実施するための最良と考えられる形態である。この記載は、本発明の主要な原理を説明するためのものであって、限定の意味に解されてはならない。本発明の範囲は添付の特許請求の範囲を参照することによって決定されるべきである。
【００１７】
図１において、昇降システムＥ１は、基板Ｂと、ポジショナーＴ１と、ポジショナＴ１に連結し、基板Ｂに対し方向ｄ１またはｄ２に、上方または下方へ移動可能なアセンブリユニットＭ１と、を含む。方向ｄ１とｄ２は互いに反対を向く２つの方向である。
【００１８】
アセンブリユニットＭ１は、第１の装置１と、第１の装置１に設置される第２の装置２と、第２の装置に連結する第３の装置３と、を備える。本実施形態において、第２の装置２の数は３であり、かつ、各第２の装置２は互いに等間隔で離間するように第１の装置１に設けられる。
【００１９】
アセンブリユニットＭ１に連結するポジショナＴ１は、基板Ｂに対しアセンブリユニットＭ１をそれぞれ異なる位置に移動させることができる。本実施形態においてポジショナＴ１はアセンブリユニットＭ１に形成される円筒柱である。
【００２０】
図２Ａ、２Ｂおよび２Ｃを参照されたい。図２ＡにおいてアセンブリユニットＭ１の第１の装置１は第１の位置ｈ１にあり、図２ＢにおいてアセンブリユニットＭ１の第１の装置１は第２の位置ｈ２にあり、図２ＣにおいてポジショナＴ１は第１の所定位置ｈ３に位置している。第１の位置ｈ１と第２の位置ｈ２はそれぞれ異なる高さであり、第１の所定位置ｈ３はポジショナＴ１の位置を示すものである。
【００２１】
図３は、図２Ｃにおける点線Ｚに囲まれた基板Ｂの局部断面図である。ポジショナＴ１が所定位置ｈ３に位置するということは、アセンブリユニットＭ１が安定位置にあるということをも意味する。本実施形態において、昇降システムＥ１は、例えば灯具（図示せず）などの物体を、ハイマスト照明装置（high-mast lighting apparatus）に位置決めする、装着するまたはこれから取り外すために用いるシステム化されたツールである。ポジショナＴ１により、灯具をアセンブリユニットＭ１の第１の装置１に位置決めすることができるようになる。
【００２２】
図１および図３において、基板ＢはＴ字形構造であり、第１の部分ｂ−１、第２の部分ｂ−２、および第２の部分ｂ−２に設置された第３の部分ｂ−３を含んでなる。第１の部分ｂ−１は、例えば電柱などの柱状部材であり、外部に第１のベース面ｂ０１を備える。第２の部分ｂ−２は、第１の部分ｂ−１上端に形成された円盤状構造である。また、ポジショナＴ１を位置決めするための構造である第３の部分ｂ−３は、Ｕ字形ガイド領域Ｒおよび第２のベース面ｂ０２を備える。Ｕ字形ガイド領域Ｒは、丸形端部ｒ０１を有する第１のガイド部ｒ１と、丸形端部ｒ０２を有する第２のガイド部ｒ２と、第１および第２のガイド部ｒ１およびｒ２とつながる第３のガイド部ｒ３とを備える。第１および第２のガイド部ｒ１およびｒ２と第３のガイド部ｒ３とが共にＵ字形ガイド領域Ｒの輪郭を形成する。第２のベース面ｂ０２は、第１、第２および第３のガイド部ｒ１、ｒ２およびｒ３の外面によって形成される所定の曲面であって、位置決めセグメントｂ２０、第１のセグメントｂ２１、第２のセグメントｂ２２および第３のセグメントｂ２３を有する。位置決めセグメントｂ２０は第１のセグメントｂ２１と第２のセグメントｂ２２との間に配置される。第３のセグメントｂ２３は第１のセグメント２１と第２のセグメントｂ２２との間に配置される。ポジショナＴ１は、第１のセグメントｂ２１と第２のセグメントｂ２２の間に配された位置決めセグメントｂ２０に分離可能に位置決めされる。
【００２３】
本実施形態において、第１のセグメントｂ２１、第２のセグメントｂ２２および第３のセグメントｂ２３は所定の曲率を持つ傾斜面であり、また、位置決めセグメントｂ２０は、第１のセグメントｂ２１と第２のセグメントｂ２２の間に形成されるカーブ形の凹溝（recess）である。第１のセグメントｂ２１、位置決めセグメントｂ２０、第２のセグメントｂ２２および第３のセグメントｂ２３を有する第２のベース面ｂ０２は、連続閉曲面（continuous closed curve surface）である。
【００２４】
アセンブリユニットＭ１の第１の装置１は、灯具を搭載させる灯具スタンドとして機能する。第１の装置１は、第１の本体１１と、第１の本体１１に設置される複数のＴ字形の第２の本体１２とを備える。第１の本体１１は、内部側壁面１１００を有する中空部１１０を備えた環状部材である。第１の本体１１の中空部１１０中に収まる基板Ｂの第１の部分ｂ−１は、第２の装置２および第３の装置３によって、第１の本体１１の中空部１１０内部側壁面１１００から離間するようになる。第２の本体１２の数は第２の装置２の数と同じであることが要される。第２の本体１２は、第１の枢結部１２１と、第１の枢結部１２１と間隔をあけて配置される第２の枢結部１２２と、を備える。
【００２５】
第２の装置２は、第１の要素２１、第２の要素２２、および、第１の要素２１と第２の要素２２の間に配置される第３の要素２３を備える。第１の要素２１は第２の本体１２に枢結する片持ち棒（cantilevered rod）であって、第２の本体１２の第１の枢結部１２１に連結する第１の連結部２１１と、第１の連結部２１１から延伸して基板Ｂの第１のベース面ｂ０１に分離自在に接触する第１の接触部２１２と、を備える。第２の要素２２は第２の本体１２に枢結するもう１つの片持ち棒であって、第２の本体１２の第２の枢結部１２２に枢結する第２の連結部２２１と、第２の連結部２２１から延伸して第１のベース面ｂ０１に分離自在に接触する第２の接触部２２２と、を備える。第３の要素２３は第１の要素２１および第２の要素２２に枢結するＹ字形の棒部材であって、Ｙ字形本体２３０、第１の軸２３１および第２の軸２３２を備える。ポジショナＴ１は、該第３の要素２３のＹ字形本体２３０から外側へ突き出すように設けられる。Ｙ字形本体２３０は、第２の本体１２にかぶさるように設けられたＵ字形開口２３００を備える。互いに離間する第１および第２の軸２３１および２３２は、Ｕ字形開口２３００を突き抜け、かつ、第２の装置２の第１の要素２１および第２の要素２２にそれぞれ枢結するようにしてＹ字形本体２３０に設けられる。つまり、第２の装置２の第１の要素２１は、第２の本体１２の第１の枢結部１２１および第３の要素２３の第１の軸２３１に順に枢結し、第２の装置２の第２の要素２２は、第２の本体１２の第２の枢結部１２２および第３の要素２３の第２の軸２３２に順に枢結する。第２の装置２の第１の要素２１、第２の要素２２および第３の要素２３と、第１の装置１の第２の本体１２とが、ダブルロッキング機構（double-rocker mechanism）を形成する。本実施形態において、第１の要素２１と第２の要素２２は、同様の構造を持つ２つの棒状物である。
【００２６】
第３の装置３は、第２の装置２の第３の要素２３のＹ字形本体２３０に連結される動力装置（dynamic device）であり、第１の装置１の第１の本体１１を駆動して、第１および第２の位置ｈ１およびｈ２の間にて移動させる。第３の装置３は、第２の装置２の第１の要素２１に接続するケーブル３１と、基板Ｂの第１の部分ｂ−１に配置されるモーター３２と、基板Ｂの第２の部分ｂ−２に配置される１組のガイド輪３３と、を備える。モーター３２は、ガイド輪３３によって案内されるケーブル３１を駆動して、第１の装置１の第１の本体１１の、第１の位置ｈ１および第２の位置ｈ２間における移動を可能にする。
【００２７】
図３において、第３の装置３のケーブル３１によって駆動されたポジショナＴ１が方向１に移動して、第２のベース面ｂ０２の第１のセグメントｂ２１に接触したとき、その第２のベース面ｂ０２の第１のセグメントｂ２１に接するポジショナＴ１の位置を、第１の参照位置ｈ０１と定める。
【００２８】
第３の装置３のケーブル３１がポジショナＴ１を方向ｄ１に引き続き移動させていくと、ポジショナＴ１は、第１のセグメントｂ２１に沿って摺動しながら第１のガイド部ｒ１の丸形端部ｒ０１へ移動する。ポジショナＴ１は、第１のガイド部ｒ１の丸形端部ｒ０１を完全に通り過ぎると、ポジショナＴ１に連結された第１の装置１および第２の装置２の重量の一部Ｗ’によって位置決めセグメントｂ２０に向かって移動する。そして、モーター３２が停止したとき、ポジショナＴ１は位置決めセグメントｂ２０に位置決めされることとなる。このプロセスの間、第１の要素２１の第１の接触部２１２および第２の要素２２の第２の接触部２２２は基板Ｂの第１のベース面ｂ０１との接触を保っている。
【００２９】
ここで、第１のセグメントｂ２１と第２のセグメントｂ２２との間に配された位置決めセグメントｂ２０に位置決めされたポジショナＴ１のその位置を、第１の所定位置ｈ３と定める。ポジショナＴ１が第１の所定位置ｈ３に位置し、かつモーター３２が停止したとき、アセンブリユニットＭ１の第１の装置１は望ましい位置に位置決めされ、かつ、第１の要素２１の第１の接触部２１２および第２の要素２２の第２の接触部２２２は基板Ｂの第１のベース面ｂ０１との接触を保っている。
【００３０】
さらに、第３の装置３のケーブル３１がポジショナＴ１を方向１に移動させると、ポジショナＴ１は位置決めセグメントｂ２０から離れて、第２のガイド部ｒ２の丸形端部ｒ０２の方へ移動し始める。ここで、第２のガイド部ｒ２の丸形端部ｒ０２に達したときのポジショナＴ１のその位置を、第２の参照位置ｈ０２と定める。ポジショナＴ１は、第２のガイド部ｒ２の丸形端部ｒ０２を完全に通り過ぎると、ポジショナＴ１に連結された第１の装置１および第２の装置２の重量の一部Ｗ’によって第３のセグメントｂ２３へ向かって移動する。そしてポジショナＴ１は第３のセグメントｂ２３に案内されて摺動しながら移動する。このプロセスの間、第１の要素２１の第１の接触部２１２および第２の要素２２の第２の接触部２２２は基板Ｂの第１のベース面ｂ０１と依然接触を保っている。さらにポジショナＴ１は、方向２に下方へ移動して第３のセグメントｂ２３から離れ、第２のベース面ｂ０２から完全に離れる。ここで、第３のセグメントｂ２３から離れたときのポジショナＴ１のその位置を、第３の参照位置ｈ０３と定める。第３の部分ｂ−３の第２のベース面ｂ０２に対して、第２の参照位置ｈ０２はポジショナＴ１の最も高い位置であり、第３の参照位置ｈ０３はポジショナＴ１の最も低い位置である。
【００３１】
なお、ポジショナＴ１が第３の部分ｂ−３の第２のベース面ｂ０２に接触あるいは沿って移動するとき、第１の要素２１の第１の接触部２１２および第２の要素２２の第２の接触部２２２は基板Ｂの第１のベース面ｂ０１との接触を保つため、第１の装置１の第１の本体１１が適切に位置決めされるという点に留意されたい。
【００３２】
上述したように、当該昇降システムによれば、灯具スタンド上に灯具を位置決めし、かつ灯具スタンドの調整を安定に行うことができる。
【００３３】
本発明を好ましい実施形態によって以上のように開示したが、これは本発明を限定しようとするものではなく、当業者であれば、本発明の精神と範囲を逸脱しない限りにおいて変更および修飾を施すことができる。よって、本発明の保護範囲は、添付の特許請求の範囲で定義されたものが基準とされる。
【図面の簡単な説明】
【００３４】
【図１】一実施形態による昇降システム（Ｅ１）の立体図である。該昇降システム（Ｅ１）は、基板（Ｂ）、ポジショナ（Ｔ１）、ならびに第１の装置（１）、第１の装置（１）に設置される第２の装置（２）、および第２の装置（２）に連結する第３の装置（３）を備えるアセンブリユニット（Ｍ１）を含んでいる。
【図２Ａ】図１の昇降システム（Ｅ１）の局部断面図であり、アセンブリユニット（Ｍ１）の第１の装置（１）が第１の位置（ｈ１）に位置するところを示している。
【図２Ｂ】図１の昇降システム（Ｅ１）の局部断面図であり、アセンブリユニット（Ｍ１）の第１の装置（１）が第２の位置（ｈ２）に位置するところを示している。
【図２Ｃ】図１の昇降システム（Ｅ１）の局部断面図であり、ポジショナ（Ｔ１）が第１の所定位置（ｈ３）に位置するところを示している。
【図３】位置決めプロセス中のポジショナ（Ｔ１）の経路を示す説明図である。
【符号の説明】
【００３５】
１  第１の裝置
２  第２の裝置
３  第３の装置
１１  第１の本体
１２  第２の本体
２１  第１の要素
２２  第２の要素
２３  第３の要素
１１０  中空部
１２１  第１の枢結部
１２２  第２の枢結部
２１１  第１の連結部
２１２  第１の接触部
２２１  第２の連結部
２２２  第２の接触部
２３０  Ｙ字形本体
２３１  第１の軸
２３２  第２の軸
１１００  内部側壁面
２３００  Ｕ字形開口
Ｂ  基板
ｂ０１  第１のベース面
ｂ０２  第２のベース面
ｂ２０  位置決めセグメント
ｂ２１  第１のセグメント
ｂ２２  第２のセグメント
ｂ２３  第３のセグメント
ｂ−１  第１の部分
ｂ−２  第２の部分
ｂ−３  第３の部分
ｄ１、ｄ２  方向
Ｅ１  昇降システム
ｈ０１  第１の参照位置
ｈ０２  第２の参照位置
ｈ０３  第３の参照位置
ｈ１  第１の位置
ｈ２  第２の位置
ｈ３  第１の所定位置
Ｍ１  アセンブリユニット
Ｒ  Ｕ字形ガイド領域
ｒ０１、ｒ０２  丸形端部
ｒ１  第１のガイド部
ｒ２  第２のガイド部
ｒ３  第３のガイド部
Ｔ１  ポジショナ
Ｗ’  重量の一部
【図１】
2008162802.tif 000003
【図２Ａ】
2008162802.tif 000004
【図２Ｂ】
2008162802.tif 000005
【図２Ｃ】
2008162802.tif 000006
【図３】
2008162802.tif 000007